(57)【要約】　　　（修正有）【課題】２極２相モータに直巻巻線を巻装する場合の作業性の改善と、巻線品質の改善が可能となる。【解決手段】固定子鉄芯は分割鉄芯体ａ２が４個と、分割鉄芯体ａ２に挟持される分割鉄芯体ｂ４個の合計８個に分割され、巻線作業時４個の分割鉄芯体ａ２を４個共環状に保持したまま各相別に連続巻線したのち分割鉄芯体ｂをはめ込み一体化する構成とすることで、固定子の組立て完成時に渡り線の長さを調整することなく、分割鉄芯体のいくつかを移動する必要もないため、渡り線の管理が容易で少ない手間で固定子の組立が可能となる内転型電動機の固定子の製造方法を提供できる。【選択図】 図２
2004096992.tif 000002
【特許請求の範囲】
【請求項１】
４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａ４個のみを略放射状で電動機固定子の正規の寸法と同一または同等で環状に配置・固定したままで保持し、絶縁物を介し集中巻で２極のＡ相巻線と２極のＢ相巻線とを交互に配列するよう各々連続的に渡り線を配して直巻巻装した後、４個の分割鉄芯体ｂを分割鉄芯体ａと分割鉄芯体ａの間隙に各々装着固定し環状に一体化してなる内転型電動機の固定子の製造方法。
【請求項２】
２極のＡ相巻線の巻装作業と２極のＢ相巻線の巻装作業を同時に実施してなる請求項１記載の内転型電動機の固定子の製造方法。
【請求項３】
Ａ相巻線またはＢ相巻線が直巻巻装され、環状に配置された４個の分割鉄芯体ａに対し、内径方向に対し先細状の台形状かまたは凸形状かまたはこれらを組み合わせた形状に構成した分割鉄芯体ｂを前記電動機の固定子の外径方向から装着する請求項１記載の内転型電動機の固定子の製造方法。
【請求項４】
Ａ相巻線またはＢ相巻線が直巻巻装され、環状に配置された４個の分割鉄芯体ａに対し、分割鉄芯体ｂを電動機の軸方向上方からかまたは軸方向下方から装着する請求項１記載の内転型電動機の固定子の製造方法。
【請求項５】
４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａ４個のみを略放射状で電動機固定子の正規の寸法と同一または同等で環状に配置・固定したままで絶縁物を介し集中巻で２極のＡ相巻線と２極のＢ相巻線とを交互に配列するように各々連続的に渡り線を配して直巻巻装して装着されており、４個の分割鉄芯体ｂを分割鉄芯体ａと分割鉄芯体ａの間隙に各々装着固定し環状に一体化されてなる内転型電動機の固定子。
【請求項６】
Ａ相巻線またはＢ相巻線が直巻巻装され、環状に配置された４個の分割鉄芯体ａに対し、分割鉄芯体ｂが外径方向から装着されてなり、前記分割鉄芯体ａと分割鉄芯体ｂの分割面は装着が容易なように分割鉄芯体ｂが内径方向に対し先細状の台形状かまたは凸形状かまたはこれらを組み合わせた形状に構成した請求項５記載の内転型電動機の固定子。
【請求項７】
Ａ相巻線の渡り線がＢ相巻線用絶縁物の内径側に設けた上側沿出部の外周面側または上面に設けた保持機構により保持され、Ｂ相巻線の渡り線はＡ相巻線用絶縁物の内径側に設けた下側沿出部の外周面側または下面に設けた保持機構により保持された構成の請求項５記載の内転型電動機の固定子。
【請求項８】
Ａ相巻線の渡り線を前記固定子鉄芯の負荷側に配しＢ相巻線の渡り線を反負荷側に配するかまたは、Ａ相巻線の渡り線を前記固定子鉄芯の反負荷側に配しＢ相巻線の渡り線を負荷側に配した構成の請求項５記載の内転型電動機の固定子。
【請求項９】
Ａ相巻線またはＢ相巻線が直巻巻装され、環状に配置された４個の分割鉄芯体ａに対し、分割鉄芯体ｂを電動機の軸方向上方からかまたは軸方向下方から装着した請求項５記載の内転型電動機の固定子。
【発明の詳細な説明】
【技術分野】
【０００１】
　本発明は固定子鉄芯を複数に分割した分割鉄芯体に巻線を直巻巻装した後、前記分割鉄芯体を環状に一体化した構成とした内転型電動機の固定子に関する。
【背景技術】
【０００２】
近年、複数に分割した分割鉄芯体に巻線を施工し分割鉄芯体を環状に配列してなる固定子とそれを製造する方法が普及されている。
【０００３】
　従来、この種の固定子の構成の一例として特開２０００−３５８３４６号公報（特許文献１）に記載されたものが知られていた。以下、その構成について図１１〜図１２を参照しながら説明する。
【０００４】
　図１１に示すように、絶縁材料２０２、２０３で絶縁処理された分割鉄芯体２０１を各相別々に極数個直線状に保持し、これにＡ相巻線２０４を極数個連続的に渡り線２０５で連結して巻装し、またＢ相巻線２０６を極数個連続的に渡り線２０７で連結して巻装したのち、これらを環状に合体して固定子を構成していた。　また、図１２に示すように、同様に絶縁材料２０２、２０３で絶縁処理された分割鉄芯体２０１を各相別々に極数個環状に保持し、これにＡ相巻線２０４を極数個連続的に渡り線２０５で連結して巻装し、またＢ相巻線２０６を極数個連続的に渡り線２０７で連結して巻装したのち、これらを環状に合体した構成の固定子としていた。
【特許文献１】特開２０００−３５８３４６号公報
【発明の開示】
【発明が解決しようとする課題】
【０００５】
　このような従来の固定子の構成では、渡り線２０５の管理が難しいことや別々に極数個連続的に巻線巻装した分割鉄芯体２０１を組み合わせて環状に合体する作業に多くの手間がかかるという課題があった。
【０００６】
　本発明は上記課題を解決するもので、渡り線の管理が容易であり少ない手間で分割鉄芯体の組立が可能な内転型電動機の固定子を提供することを目的とする。
【課題を解決するための手段】
【０００７】
　本発明の内転型電動機の固定子においては、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａ４個のみを略放射状で電動機固定子の正規の寸法と同一または同等で環状に配置・固定したままで保持し、絶縁物を介し集中巻で２極のＡ相巻線と２極のＢ相巻線とを交互に配列するよう各々連続的に渡り線を配して直巻巻装した後、４個の分割鉄芯体ｂを分割鉄芯体ａと分割鉄芯体ａの間隙に各々装着して環状に固着一体化してなる内転型電動機の固定子の製造方法としたものである。
【０００８】
　本発明によれば、歯部４個を電動機固定子の正規の寸法と同一または同等で環状に固定したままＡ相巻線およびＢ相巻線のを巻装するため、巻線巻装完了後も前記分割鉄芯体ａ４個を大きく移動させることなく分割鉄芯体ｂを組み付け一体化が可能であり、各相巻線の渡り線も移動させる必要なくその管理が容易で固定子巻線および渡り線の皮膜の傷の防止、または断線の防止など巻線品質が確保できる。そして、固定子の巻線作業および分割鉄芯体ａと分割鉄芯体ｂの組立が容易になり、作業時間の短縮が可能な内転型電動機の固定子の製造方法を提供することができる。
【０００９】
　また、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａ４個のみを略放射状で電動機固定子の正規の寸法と同一または同等で環状に配置・固定したままで絶縁物を介し集中巻で２極のＡ相巻線と２極のＢ相巻線とを交互に配列するように各々連続的に渡り線を配して直巻巻装して装着されており、４個の分割鉄芯体ｂを、分割鉄芯体ａと分割鉄芯体ａの間隙に各々装着して環状に固着一体化されてなる構成としたものである。
【００１０】
　本発明によれば、Ａ相巻線およびＢ相巻線の渡り線の管理および分割鉄芯体ａと分割鉄芯体ｂとの組立が容易な内転型電動機の固定子を提供することができる。
【発明の効果】
【００１１】
　本発明によれば４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａ４個のみを電動機固定子の正規の寸法と同一または同等で環状に固定したままで保持し、絶縁物を介し集中巻で２極のＡ相巻線と２極のＢ相巻線とを交互に配列するよう各々連続的に渡り線を配して直巻巻装した後、４個の分割鉄芯体ｂを分割鉄芯体ａと分割鉄芯体ａの間隙に各々装着して環状に固着一体化してなる内転型電動機の固定子の製造方法としたので、固定子の組立て完成時に渡り線の長さを調整することなく、分割鉄芯体のいくつかを移動する必要もないため、渡り線の管理が容易で少ない手間で固定子の組立が可能となる内転型電動機の固定子の製造方法を提供できる。
【００１２】
　また、２極のＡ相巻線の巻装作業と２極のＢ相巻線の巻装作業を同時に実施してなる製造方法としたので、極めて短時間で巻線の直巻巻装作業を実施すること
が可能な内転型電動機の固定子の製造方法を提供できる。
【００１３】
　また、Ａ相巻線またはＢ相巻線が直巻巻装され、環状に配置された４個の分割鉄芯体ａに対し、分割鉄芯体ｂが外径方向から装着され、前記分割鉄芯体ａと分割鉄芯体ｂの分割面は装着が容易なように分割鉄芯体ｂが内径方向に対し先細状の台形かまたは凸形状かまたはこれらを組み合わせる製造方法としたので、この分割鉄芯体ｂを巻線を巻装した分割鉄芯体ａの間に外径方向から内径方向に移動させる動作のみで装着でき、固定子の組み立てが容易に可能となる。そして、環状に配置された４個の分割鉄芯体ａは略放射状で電動機固定子の正規の寸法と同一または同等に保持された構成としたので、巻線巻装から分割鉄芯体ｂの装着まで移動させる必要が無く渡り線などの損傷の可能性を排除し、また製造工法の容易化が可能な内転型電動機の固定子を提供できる。
【００１４】
　また、電動機の軸方向上方または下方から分割鉄芯体ｂ５を４個の分割鉄芯体ａ４の間に装着する製造方法により、分割面の形状を自由に選択でき分割面の沿面距離を拡大することにより前記分割鉄芯体ａ４と分割鉄芯体ｂ５との接触面積を拡大し、これにより分割面の磁気抵抗の安定化を図ることが可能となる。
【００１５】
　また、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａ４個のみを略放射状で電動機固定子の正規の寸法と同一または同等で環状に固定したまま集中巻で２極のＡ相巻線と２極のＢ相巻線とを交互に配列するように各々連続的に渡り線を配して直巻巻装して装着されており、４個の分割鉄芯体ｂを分割鉄芯体ａと分割鉄芯体ａの間隙に各々装着固定し環状に一体化されてなる構成としたので、固定子の組立完成時に渡り線の長さを調整することなく、分割鉄芯体ａを移動する必要もないため、渡り線の管理が容易で少ない手間で固定子の組立が可能となる内転型電動機の固定子を提供できる。
【００１６】
　また、Ａ相巻線またはＢ相巻線が直巻巻装され、環状に配置された４個の分割鉄芯体ａに対し、分割鉄芯体ｂが外径方向から装着され、前記分割鉄芯体ａと分割鉄芯体ｂの分割面は装着が容易なように分割鉄芯体ｂが内径方向に対し先細状の台形かまたは凸形状かまたはこれらを組み合わせた形状に構成としたので、この分割鉄芯体ｂを巻線を巻装した分割鉄芯体ａの間に外径方向から内径方向に移動させる動作のみで装着でき固定子の組み立てが容易に可能となる。
【００１７】
また、Ａ相巻線の渡り線がＢ相巻線用絶縁物の内径側に設けた上側沿出部の外周面側または上面に設けた保持機構により保持され、Ｂ相巻線の渡り線はＡ相巻線用絶縁物の内径側に設けた下側沿出部の外周面側または下面に設けた保持機構により保持された構成としたので、渡り線の皮膜損傷に起因するレアー不良などの可能性を低減することが可能となる。
【００１８】
　また、Ａ相巻線の渡り線を前記固定子鉄芯の負荷側に配しＢ相巻線の渡り線を反負荷側に配するかまたは、Ａ相巻線の渡り線を前記固定子鉄芯の反負荷側に配しＢ相巻線の渡り線を負荷側に配した構成としたので、渡り線および各相巻線の巻始め線、巻終わり等との接触の可能性を低下させ巻線品質を向上させることが可能となる。
【００１９】
　また、Ａ相巻線またはＢ相巻線が直巻巻装され、環状に配置された４個の分割鉄芯体ａに対し、分割鉄芯体ｂが電動機の軸方向上方からかまたは軸方向下方から装着された構成としたので、分割面の形状を自由に選択でき分割面の沿面距離を拡大することにより前記分割鉄芯体ａと分割鉄芯体ｂとの接触面積を拡大し、これにより分割面の磁気抵抗の安定化を図ることが可能となる。
【発明を実施するための最良の形態】
【００２０】
　本発明の請求項１に記載の発明は、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａ４個のみを略放射状で電動機固定子の正規の寸法と同一または同等で環状に配置・固定したままで保持し、絶縁物を介し集中巻で２極のＡ相巻線と２極のＢ相巻線とを交互に配列するよう各々連続的に渡り線を配して直巻巻装した後、４個の分割鉄芯体ｂを分割鉄芯体ａと分割鉄芯体ａの間隙に各々装着し環状に一体化してなる内転型電動機の固定子の製造方法としたものであり、渡り線の管理の容易化が可能で分割鉄芯体ａと分割鉄芯体ｂとの組立の容易化を図ることができる。
【００２１】
　以下、本発明の実施の形態について図１〜図１０を参照しながら説明する。
【００２２】
（実施の形態１）
　図１〜図１０に示すように、４個のスロット１５を有する固定子鉄芯１を歯部２と継鉄部３−１が一体の４個の分割鉄芯体ａ４と継鉄部３−２の４個の分割鉄芯体ｂ５との８個に分割し、分割鉄芯体ａ２は回転子孔６の外周にその歯部３−１各々が略放射状で各々の間隔が固定子１４完成時と同一または同等の内外径寸法で環状に配置され、対向する分割鉄芯体ａ４に対して絶縁物を介し集中巻でＡ相巻線７を渡り線８ａで連結して２極分連続的に直巻巻装し、同様に残る分割鉄芯体ａ４に絶縁処理後集中巻でＢ相巻線９を渡り線８ｂで連結して２極分連続的に直巻巻装することにより、Ａ相巻線巻装体１０が２個とこれと電気角で９０度隔てた位置にＢ相巻線巻装体１１を２個形成した後、継鉄部３で分割された４個の分割鉄芯体ｂ５を間挿し固着一体化して交互に環状に配列し固定子１４を組立してなる製造方法とする。
【００２３】
　また、２極のＡ相巻線７の巻装作業と２極のＢ相巻線９の巻装作業を同時に実施してなる製造方法とする。
【００２４】
　また、Ａ相巻線７またはＢ相巻線９が直巻巻装され、固定子１４の正規寸法と同一または同等で環状に配置された４個の分割鉄芯体ａ４に対し、内径方向に向かい先細状の台形状かまたは凸形状かまたはこれらを組み合わせた形状とした構成とした分割鉄芯体ｂ５を外径方向から装着する製造方法とする。
【００２５】
　また、Ａ相巻線またはＢ相巻線が直巻巻装され、環状に配置された４個の分割鉄芯体ａに対し、分割鉄芯体ｂを電動機の軸方向上方からかまたは軸方向下方から装着する製造方法とする。
【００２６】
　また、４個のスロット１５を有する固定子鉄芯１を歯部２と継鉄部３−１が一体の４個の分割鉄芯体ａ４と継鉄部３−２の４個の分割鉄芯体ｂ５との８個に分離分割し、分割鉄芯体ａ２は回転子孔６の外周にその歯部３−１が各々を略放射状で、その位置は正規の内外径寸法と同一または同等の間隔に保持されて固定子１４完成時と同一または同等になるように配置されている。そして対向する分割鉄芯体ａ４に対して絶縁処理後集中巻でＡ相巻線７を渡り線８ａで連結して２極分連続的に直巻巻装され、同様に残る分割鉄芯体ａ４に絶縁処理後集中巻でＢ相巻線９を渡り線８ｂで連結して２極分連続的に直巻巻装され、Ａ相巻線巻装体１０が２個とこれと電気角で９０度隔てた位置にＢ相巻線巻装体１１を２個形成して装着されてあり、継鉄部３で分割された４個の分割鉄芯体ｂ５を前記分割鉄芯体ａ４と分割鉄芯体ａ４の間に装着固定され環状に一体化されて固定子１４を構成する。
【００２７】
　また、固定子１４の正規寸法で環状に配置された４個の分割鉄芯体ａ４の間隙には、内径方向に対し先細状の台形状かまたは凸形状かまたはこれらを組み合わせた形状に形成された４個の分割鉄芯体ｂ５が配置された構成とする。
【００２８】
　また、Ａ相巻線７の渡り線８ａがＢ相巻線用絶縁物１２ｂの内径側に設けた上側沿出部１２ｂ−１の外周面側または上面に設けた保持機構１３ｂ−１により保持され、Ｂ相巻線９の渡り線８ｂはＡ相巻線用絶縁物１２ａの内径側に設けた下側沿出部の外周面側または下面に設けた保持機構１３ａ−１により保持された構成とする。
【００２９】
　また、Ａ相巻線７の渡り線８ａを前記固定子鉄芯１の負荷側に配しＢ相巻線９の渡り線８ｂを反負荷側に配するかまたは、Ａ相巻線７の渡り線８ａを前記固定子鉄芯１の反負荷側に配しＢ相巻線９の渡り線８ｂを負荷側に配した構成とする。
【００３０】
　また、Ａ相巻線７またはＢ相巻線９が直巻巻装され、環状に配置された４個の分割鉄芯体ａ４に対し、分割鉄芯体ｂ５が電動機の軸方向上方からかまたは軸方向下方から装着してなる構成とする。
【００３１】
　このように本発明の実施の形態１の内転型電動機の固定子およびその製造方法によれば、４個の分割鉄芯体ａ４のみを固定子１４完成時の正規寸法と同一または同等で、この固定子１４の配置と同一または同等になるように環状に配置したままで保持し、巻線機（図示せず）により２極のＡ相巻線７または２極のＢ相巻線９を直巻巻装し、またＡ相巻線７とＢ相巻線９は渡り線８ａまたは８ｂで連結して直巻巻装するため、固定子１４の組立て完成時に渡り線８ａ、８ｂの長さを調整することなく、分割鉄芯体ａ４は固定子１４完成時の正規の内外径寸法と全く同一または同等に保持されており、巻線巻装から分割鉄芯体ｂ５の装着まで大きく移動させる必要が無いため、渡り線の管理が容易で固定子１４のＡ相巻線７とＢ相巻線９および各々の渡り線８ａ、８ｂの皮膜の損傷や断線の防止が可能であり、少ない手間で固定子１４の組立が可能となり、製造工法の容易化が可能となる。
【００３２】
　また、４個の分割鉄芯体ａ４個に対してＡ相巻線７の巻装作業とＢ相巻線９の巻装作業を同時に実施するため、極めて短時間で巻線の直巻巻装作業を実施することが可能となる。
【００３３】
　また、分割鉄芯体ｂを内径方向に向かい先細状の台形状かまたは凸形状かまたはこれらを組み合わせた形状とし、分割鉄芯体ｂ５を固定子１４の正規寸法と同一または同等で環状に配置された４個の分割鉄芯体ａの間隙に外径方向から内径方向に向かい平面的に移動押圧することで組み付けができ、容易に固定子１４の組立ができることになる。
【００３４】
　また、電動機の軸方向上方または下方から分割鉄芯体ｂ５を４個の分割鉄芯体ａ４の間に装着する製造方法により、分割面の形状を自由に選択でき分割面の沿面距離を拡大することにより前記分割鉄芯体ａ４と分割鉄芯体ｂ５との接触面積を拡大し、これにより分割面の磁気抵抗の安定化を図ることが可能となる。
【００３５】
　また、４個の分割鉄芯体ａ４のみを略放射状で固定子１４完成時の正規寸法と同一または同等で、この固定子１４の配置と同一または同等になるように環状に配置したままで保持し、巻線機（図示せず）により２極のＡ相巻線７または２極のＢ相巻線９を直巻巻装し、またＡ相巻線７とＢ相巻線９は渡り線８ａまたは８ｂで連結して直巻巻装するするため、固定子１４の組立て完成時に渡り線８ａ、８ｂの長さを調整することなく、分割鉄芯体ａ４のいくつかを移動する必要もないため、渡り線の管理が容易で固定子１４のＡ相巻線７とＢ相巻線９および各々の渡り線８ａ、８ｂの皮膜の損傷や断線の防止が可能であり、少ない手間で固定子１４の組立ができる構造が実現できる。
【００３６】
　また、固定子１４の正規寸法と同一または同等で環状に配置された４個の分割鉄芯体ａ４の間隙には、内径方向に対し先細状の台形状かまたは凸形状かまたはこれらを組み合わせた形状に形成された４個の分割鉄芯体ｂ５が配置された構成としたので、分割鉄芯体ｂの組立が容易な構造が実現できる。
【００３７】
　また、Ａ相巻線７の渡り線８ａおよびＢ相巻線の渡り線８ｂをそれぞれの巻線から離れた位置に保持する構成としたので、渡り線８ａ、８ｂの皮膜損傷に起因するレアー不良などの可能性を低減することが可能となる。
【００３８】
　また、Ａ相巻線７の渡り線８ａとＢ相巻線９の渡り線８ｂを、固定子鉄芯１を挟み各々負荷側と反負荷側の反対側に配したので、渡り線８ａ、８ｂおよび各相巻線の巻始め線（図示せず）、巻終わり（図示せず）等との接触の可能性を低下させ巻線品質を向上させることが可能となる。
【００３９】
　また、電動機の軸方向上方または下方から分割鉄芯体ｂ５を４個の分割鉄芯体ａ４の間に装着する構成により、分割面の形状を自由に選択でき分割面の沿面距離を拡大することにより前記分割鉄芯体ａ４と分割鉄芯体ｂ５との接触面積を拡大し、これにより分割面の磁気抵抗の安定化を図ることが可能となる。
【産業上の利用可能性】
【００４０】
　本発明により、内転型電動機の固定子の組立て完成時に渡り線の長さを調整することなく、鉄芯体のいくつかを移動する必要もないため、渡り線の管理が容易で少ない手間で固定子の組立が可能となる内転型電動機の固定子の製造方法として有用である。
【図面の簡単な説明】
【００４１】
【図１】本発明の実施の形態１の内転型電動機の固定子鉄芯の４個の分割鉄芯体ａの巻線巻装時の配置を示す斜視図
【図２】同内転型電動機の固定子鉄芯を示す正面図
【図３】同内転型電動機の固定子鉄芯の４個の分割鉄芯板ｂを示す斜視図
【図４】同内転型電動機の固定子鉄芯の分割鉄芯板ａを示す斜視図
【図５】同内転型電動機の固定子鉄芯の４個の分割鉄芯板ｂを示す斜視図
【図６】同内転型電動機の分割鉄芯体ａに巻線を巻装した状態を示す部分斜視図
【図７】同内転型電動機の分割鉄芯体ａに巻線を巻装した状態を示す正面図
【図８】同内転型電動機の固定子を示す正面図
【図９】本発明の実施の形態２の内転型電動機の分割鉄芯体ａと分割鉄芯体ｂの分割面の形状が凸形状の固定子鉄芯を示す正面図
【図１０】同内転型電動機の分割鉄芯体ｂを示す斜視図
【図１１】従来の内転型電動機の分割鉄芯体ａを直線状に配列して巻線を巻装する状態を示す正面図
【図１２】従来の内転型電動機の分割鉄芯体ａを環状に配列して巻線を巻装する状態を示す正面図
【符号の説明】
【００４２】
　１　固定子鉄芯
　２  歯部
　３−１、３−２　継鉄部
　４　分割鉄芯体ａ
　５  分割鉄芯体ｂ
　６　回転子孔
　７　Ａ相巻線
　８ａ、８ｂ　渡り線
　９　Ｂ相巻線
　１０　Ａ相巻線巻装体
　１１　Ｂ相巻線巻装体
　１２ａ　Ａ相巻線用絶縁物
　１２ｂ　Ｂ相巻線用絶縁物
　１３ａ−１、１３ｂ−１　保持機構
　１４　固定子
　１５　スロット
【図１】
2004096992.tif 000003
【図２】
2004096992.tif 000004
【図３】
2004096992.tif 000005
【図４】
2004096992.tif 000006
【図５】
2004096992.tif 000007
【図６】
2004096992.tif 000008
【図７】
2004096992.tif 000009
【図８】
2004096992.tif 000010
【図９】
2004096992.tif 000011
【図１０】
2004096992.tif 000012
【図１１】
2004096992.tif 000013
【図１２】
2004096992.tif 000014
【手続補正書】
【提出日】平成16年2月2日(2004.2.2)
【手続補正１】
【補正対象書類名】特許請求の範囲
【補正対象項目名】請求項１
【補正方法】変更
【補正の内容】
【請求項１】
　４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａは各々外周部と内周部が円弧状に形成され、その継鉄部の内周面が巻線を巻装する歯部の中心軸に略直角な面を形成し、これらの歯部に絶縁物を介し集中巻で２極のＡ相巻線と２極のＢ相巻線とを交互に配列するよう各々連続的に渡り線を配して直巻巻装する固定子鉄芯の製造方法において、巻線巻装は前記４個の分割鉄芯体ａのみを各々の歯部が略放射状で電動機固定子の完成後の正規の内外径寸法と同一または同等で正規の配置・配列で環状に固定したままで直巻巻装を行い、巻線巻装後、前記４個の分割鉄芯体ａおよびＡ相巻線とＢ相巻線の各々の渡り線を移動または寸法調整等することなく、４個の分割鉄芯体ｂを分割鉄芯体ａと分割鉄芯体ａの間隙に各々装着固定し環状に一体化してなることを特徴とする内転型電動機の固定子の製造方法。
【手続補正２】
【補正対象書類名】特許請求の範囲
【補正対象項目名】請求項３
【補正方法】変更
【補正の内容】
【請求項３】
　Ａ相巻線またはＢ相巻線が直巻巻装され、環状に配置された４個の分割鉄芯体ａに対し、内径方向に対し先細状の台形状かまたは凸形状かまたはこれらを組み合わせた形状でその内径部、外径部が略直線状に構成した分割鉄芯体ｂを前記電動機の固定子の外径方向から装着する請求項１記載の内転型電動機の固定子の製造方法。
【手続補正３】
【補正対象書類名】特許請求の範囲
【補正対象項目名】請求項５
【補正方法】変更
【補正の内容】
【請求項５】
　４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂ
が４個の合計８個に分割してなり、前記分割鉄芯体ａは各々外周部と内周部が円弧状に形成され、その継鉄部の内周面が巻線を巻装する歯部の中心軸に略直角な面を形成し、これらの歯部に絶縁物を介し集中巻で２極のＡ相巻線と２極のＢ相巻線とを交互に配列するよう各々連続的に渡り線を配して直巻巻装してなる固定子鉄芯の構成において、巻線巻装は前記４個の分割鉄芯体ａのみを各々の歯部が略放射状で電動機固定子の完成後の正規の内外径寸法と同一または同等で正規の配置・配列で環状に固定したままで直巻巻装を行い、巻線巻装後、前記４個の分割鉄芯体ａおよびＡ装巻線とＢ装巻線の各々の渡り線を移動または寸法調整等することなく、４個の分割鉄芯体ｂを分割鉄芯体ａと分割鉄芯体ａの間隙に各々装着固定し環状に一体化してなることを特徴とする内転型電動機の固定子。
【手続補正４】
【補正対象書類名】特許請求の範囲
【補正対象項目名】請求項６
【補正方法】変更
【補正の内容】
【請求項６】
　Ａ相巻線またはＢ相巻線が直巻巻装され、環状に配置された４個の分割鉄芯体ａに対し、内径方向に対し先細状の台形状かまたは凸形状かまたはこれらを組み合わせた形状でその内径部、外径部が略直線状に構成した分割鉄芯体ｂを前記電動機の固定子の外径方向から装着してなる請求項５記載の内転型電動機の固定子
【手続補正５】
【補正対象書類名】明細書
【補正対象項目名】０００７
【補正方法】変更
【補正の内容】
【０００７】
　本発明の内転型電動機の固定子においては、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａは各々外周部と内周部が円弧状に形成され、その継鉄部の内周面が巻線を巻装する歯部の中心軸に略直角な面を形成し、これらの歯部に絶縁物を介し集中巻で２極のＡ相巻線と２極のＢ相巻線とを交互に配列するよう各々連続的に渡り線を配して直巻巻装する固定子鉄芯の製造方法において、巻線巻装は前記４個の分割鉄芯体ａのみを各々の歯部が略放射状で電動機固定子の完成後の正規の内外径寸法と同一または同等で正規の配置・配列で環状に固定したままで直巻巻装を行い、巻線巻装後、前記４個の分割鉄芯体ａおよびＡ相巻線とＢ相巻線の各々の渡り線を移動または寸法調整等することなく、４個の分割鉄芯体ｂを分割鉄芯体ａと分割鉄芯体ａの間隙に各々装着固定し環状に一体化してなることを特徴とする内転型電動機の固定子の製造方法としたものである。
【手続補正６】
【補正対象書類名】明細書
【補正対象項目名】０００９
【補正方法】変更
【補正の内容】
【０００９】
　また、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａは各々外周部と内周部が円弧状に形成され、その継鉄部の内周面が巻線を巻装する歯部の中心軸に略直角な面を形成し、これらの歯部に絶縁物を介し集中巻で２極のＡ相巻線と２極のＢ相巻線とを交互に配列するよう各々連続的に渡り線を配して直巻巻装する固定子鉄芯の製造方法において、巻線巻装は前記４個の分割鉄芯体ａのみを各々の歯部が略放射状で電動機固定子の完成後の正
規の内外径寸法と同一または同等で正規の配置・配列で環状に固定したままで直巻巻装を行い、巻線巻装後、前記４個の分割鉄芯体ａおよびＡ相巻線とＢ相巻線の各々の渡り線を移動または寸法調整等することなく、４個の分割鉄芯体ｂを分割鉄芯体ａと分割鉄芯体ａの間隙に各々装着固定し環状に一体化してなることを特徴とする内転型電動機の固定子の構成としたものである。
【手続補正７】
【補正対象書類名】明細書
【補正対象項目名】００１１
【補正方法】変更
【補正の内容】
【００１１】
　本発明によれば、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａは各々外周部と内周部が円弧状に形成され、その継鉄部の内周面が巻線を巻装する歯部の中心軸に略直角な面を形成し、これらの歯部に絶縁物を介し集中巻で２極のＡ相巻線と２極のＢ相巻線とを交互に配列するよう各々連続的に渡り線を配して直巻巻装する固定子鉄芯の製造方法において、巻線巻装は前記４個の分割鉄芯体ａのみを各々の歯部が略放射状で電動機固定子の完成後の正規の内外径寸法と同一または同等で正規の配置・配列で環状に固定したままで直巻巻装を行い、巻線巻装後、前記４個の分割鉄芯体ａおよびＡ相巻線とＢ相巻線の各々の渡り線を移動または寸法調整等することなく、４個の分割鉄芯体ｂを分割鉄芯体ａと分割鉄芯体ａの間隙に各々装着固定し環状に一体化してなることを特徴とする内転型電動機の固定子の製造方法としたので、固定子の組立て完成時に渡り線の長さを調整することなく、分割鉄芯体ａのいくつかを移動して合体する必要もないため、渡り線の管理が容易で少ない手間で固定子の組立が可能となり、渡り線などの損傷による巻線品質の低下の可能性を排除する内転型電動機の固定子の製造方法を提供できる。
【手続補正８】
【補正対象書類名】明細書
【補正対象項目名】００１３
【補正方法】変更
【補正の内容】
【００１３】
　また、Ａ相巻線またはＢ相巻線が直巻巻装され、環状に配置された４個の分割鉄芯体ａに対し、内径方向に対し先細状の台形状かまたは凸形状かまたはこれらを組み合わせた形状でその内径部、外径部が略直線状に構成した分割鉄芯体ｂを前記電動機の固定子の外径方向から装着する内転型電動機の固定子の製造方法としたので、この分割鉄芯体ｂを巻線を巻装した分割鉄芯体ａの間に外径方向から内径方向に移動させる動作のみで装着でき、固定子の組立が容易に可能となる。そして、継鉄部が直線状としたことにより磁路長を低減し電動機効率の改善を図ることができる。
【手続補正９】
【補正対象書類名】明細書
【補正対象項目名】００１５
【補正方法】変更
【補正の内容】
【００１５】
　本発明によれば、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａは各々外周部と内周部が円弧状に形成され、その継鉄部の内周面が巻線を巻装する歯部の中心軸に略直角な面を形成し、これらの歯部に絶縁物を介し集中巻で２極のＡ相巻線と２極のＢ相巻線とを
交互に配列するよう各々連続的に渡り線を配して直巻巻装する固定子鉄芯の製造方法において、巻線巻装は前記４個の分割鉄芯体ａのみを各々の歯部が略放射状で電動機固定子の完成後の正規の内外径寸法と同一または同等で正規の配置・配列で環状に固定したままで直巻巻装を行い、巻線巻装後、前記４個の分割鉄芯体ａおよびＡ相巻線とＢ相巻線の各々の渡り線を移動または寸法調整等することなく、４個の分割鉄芯体ｂを分割鉄芯体ａと分割鉄芯体ａの間隙に各々装着固定し環状に一体化してなることを特徴とする内転型電動機の固定子の構成としたので、固定子の組立て完成時に渡り線の長さを調整することなく、分割鉄芯体ａのいくつかを移動して合体する必要もないため、渡り線の管理が容易で少ない手間で固定子の組立が可能となり、渡り線などの損傷による巻線品質の低下の可能性を排除する内転型電動機の固定子を提供できる。
【手続補正１０】
【補正対象書類名】明細書
【補正対象項目名】００１６
【補正方法】変更
【補正の内容】
【００１６】
　また、Ａ相巻線またはＢ相巻線が直巻巻装され、環状に配置された４個の分割鉄芯体ａに対し、内径方向に対し先細状の台形状かまたは凸形状かまたはこれらを組み合わせた形状でその内径部、外径部が略直線状に構成した分割鉄芯体ｂを前記電動機の固定子の外径方向から装着する内転型電動機の固定子の構成としたので、この分割鉄芯体ｂを巻線を巻装した分割鉄芯体ａの間に外径方向から内径方向に移動させる動作のみで装着でき、固定子の組立が容易に可能となる。そして、継鉄部が直線状としたことにより磁路長を低減し電動機効率の改善を図ることができる。
【手続補正１１】
【補正対象書類名】明細書
【補正対象項目名】００２０
【補正方法】変更
【補正の内容】
【００２０】
　本発明の請求項１に記載の発明は、４個のスロットと４個の歯部とからなる固定子鉄芯を歯部と継鉄部が一体で積層された分割鉄芯体ａが４個と、この分割鉄芯体ａに挟持される継鉄部が積層された分割鉄芯体ｂが４個の合計８個に分割してなり、前記分割鉄芯体ａは各々外周部と内周部が円弧状に形成され、その継鉄部の内周面が巻線を巻装する歯部の中心軸に略直角な面を形成し、これらの歯部に絶縁物を介し集中巻で２極のＡ相巻線と２極のＢ相巻線とを交互に配列するよう各々連続的に渡り線を配して直巻巻装する固定子鉄芯の製造方法において、巻線巻装は前記４個の分割鉄芯体ａのみを各々の歯部が略放射状で電動機固定子の完成後の正規の内外径寸法と同一または同等で正規の配置・配列で環状に固定したままで直巻巻装を行い、巻線巻装後、前記４個の分割鉄芯体ａおよびＡ相巻線とＢ相巻線の各々の渡り線を移動または寸法調整等することなく、４個の分割鉄芯体ｂを分割鉄芯体ａと分割鉄芯体ａの間隙に各々装着固定し環状に一体化してなることを特徴とする内転型電動機の固定子の製造方法としたものであり、分割鉄芯体ａと分割鉄芯体ｂとの組立の容易化を図り、渡り線の管理が容易かつ巻線品質の確保が可能とすることができる。